(57)【要約】【課題】配電系統の事故発生時において、連系可能となったことの連絡が必要な分散型電源設備の抽出、及び連系可能となったことの連絡作業を容易とする分散型電源連系支援システム、及び分散型電源連系支援方法を提供する。【解決手段】分散型電源連系支援システム１００は、配電系統情報と分散型電源設備毎の連系可能要件とを照合し、連系可能要件を満たしていない分散型電源設備を抽出してリストアップし、配電系統情報が更新された場合に、その更新された配電系統情報とリストアップした分散型電源設備の連系可能要件とを照合し、配電系統が連系可能要件を満たした分散型電源設備を抽出して表示し、リストアップした分散型電源設備のうち、配電系統が連系可能要件を満たした分散型電源設備の連絡用端末に対し、配電系統が連系可能要件を満たしていることを示す連系可能要件達成情報を送信した時点で、その分散型電源設備をリストから除外する。【選択図】図１
2018074649.tif 000002
【特許請求の範囲】
【請求項１】
分散型電源設備が連系される配電系統の状態を管理し、前記配電系統に関する配電系統情報を出力する配電自動化システムと、
前記分散型電源設備毎に、前記配電系統への連系可能要件及び連絡用端末の連絡先情報を予め記憶するデータベースと、
前記配電系統情報と前記分散型電源設備毎の前記連系可能要件とを照合し、前記連系可能要件を満たしていない分散型電源設備を抽出してリストアップし、当該リストアップした分散型電源設備の前記連絡用端末に対し、前記配電系統が前記連系可能要件を満たしていないことを示す連系可能要件未達情報を送信すると共に、前記配電系統情報が更新された場合に、当該更新された配電系統情報と前記リストアップした分散型電源設備の前記連系可能要件とを照合し、前記配電系統が前記連系可能要件を満たした分散型電源設備を抽出して前記配電系統が当該分散型電源設備の前記連系可能要件を満たしていることを表示する分散型電源連系支援装置と、
を含み、
前記分散型電源連系支援装置は、
前記リストアップした分散型電源設備のうち、前記配電系統が前記連系可能要件を満たした分散型電源設備の前記連絡用端末に対し、前記配電系統が前記連系可能要件を満たしていることを示す連系可能要件達成情報を送信した時点で、当該分散型電源設備をリストから除外する
分散型電源連系支援システム。
【請求項２】
前記連系可能要件及び前記配電系統情報は、前記配電系統における開閉器の開閉状態を示す開閉器状態情報を含み、
前記分散型電源連系支援装置は、前記開閉器状態情報に基づき、前記配電系統が前記分散型電源設備毎の前記連系可能要件を満たすか否かを判定する
請求項１に記載の分散型電源連系支援システム。
【請求項３】
前記分散型電源連系支援装置は、前記リストアップした分散型電源設備のうち、前記配電系統が前記連系可能要件を満たした分散型電源設備の前記連絡用端末に前記連系可能要件達成情報を送信可能とする
請求項１または２に記載の分散型電源連系支援システム。
【請求項４】
分散型電源設備が連系される配電系統の状態を管理し、前記配電系統に関する配電系統情報を出力するステップと、
前記分散型電源設備毎に、前記配電系統への連系可能要件及び連絡用端末の連絡先情報を予め記憶するステップと、
前記配電系統情報と前記分散型電源設備毎の前記連系可能要件とを照合するステップと、
前記連系可能要件を満たしていない分散型電源設備を抽出してリストアップするステップと、
前記リストアップした分散型電源設備の前記連絡用端末に対し、前記配電系統が前記連系可能要件を満たしていないことを示す連系可能要件未達情報を送信するステップと、
前記配電系統情報が更新された場合に、当該更新された配電系統情報と前記リストアップした分散型電源設備の前記連系可能要件とを照合するステップと、
前記配電系統が前記連系可能要件を満たした分散型電源設備を抽出して前記配電系統が当該分散型電源設備の前記連系可能要件を満たしていることを表示するステップと、
前記リストアップした分散型電源設備のうち、前記配電系統が前記連系可能要件を満たした分散型電源設備の前記連絡用端末に対し、前記配電系統が前記連系可能要件を満たしていることを示す連系可能要件達成情報を送信した時点で、当該分散型電源設備をリストから除外するステップと、
を有する分散型電源連系支援方法。
【請求項５】
前記連系可能要件及び前記配電系統情報は、前記配電系統における開閉器の開閉状態を示す開閉器状態情報を含み、
前記開閉器状態情報に基づき、前記配電系統が前記分散型電源設備の前記連系可能要件を満たすか否かを判定する
請求項４に記載の分散型電源連系支援方法。
【請求項６】
前記リストアップした分散型電源設備のうち、前記配電系統が前記連系可能要件を満たした分散型電源設備の前記連絡用端末に前記連系可能要件達成情報を送信可能とする
請求項４または５に記載の分散型電源連系支援方法。
【発明の詳細な説明】
【技術分野】
【０００１】
本発明は、分散型電源連系支援システム、及び分散型電源連系支援方法に関する。
【背景技術】
【０００２】
近年、省エネニーズの高まりや環境への配慮から、大規模太陽光発電（メガソーラー）システムや大規模風力発電システム等の大規模な分散型電源設備を高圧配電系統に連系する分散型発電ビジネスが拡大しつつある。一般に、分散型電源設備が連系されている電力系統に事故が発生すると、分散型電源設備は、電力系統との連系ができなくなり電力系統から切り離され単独運転状態となる。特許文献１には、分散型電源が単独運転しているか否かを検出する技術が開示されている。また、特許文献２には、電力系統に事故が発生して分散型電源設備が電力系統から切り離された後、所定時間所定時間経過後に受電端電圧が回復した場合に連系復旧させる技術が開示されている。
【先行技術文献】
【特許文献】
【０００３】
【特許文献１】特開２００９−１１０３７号公報
【特許文献２】特開２０１２−５５０３３号公報
【発明の概要】
【発明が解決しようとする課題】
【０００４】
大規模太陽光発電（メガソーラー）システムや大規模風力発電システム等の分散型電源設備を高圧配電系統に連系する場合、分散型電源設備毎に、一般電気事業者である電力会社と分散型電源設備の所有者である特定規模電気事業者との間で、高圧配電系統に連系する際の高圧配電系統における経路条件（以下、「連系可能要件」ともいう）を取り決めているのが一般的である。このような大規模な分散型電源設備が連系される高圧配電系統において停電が発生し、配電系統が分散型電源設備の連系可能要件を満たさなくなった場合、分散型電源設備側で高圧配電系統から解列される。そして、事故復旧後に電力会社が分散型電源設備毎に連系可能要件を満たすことを確認した上で分散型電源設備の所有者である特定規模電気事業者に連系可能となったことを連絡し、その連絡を受けて、分散型電源設備側で連系復旧処理を行うようにしている。従来、高圧配電系統の事故発生時においては、連系復旧処理が必要な分散型電源設備の抽出、及び連系可能となったことの連絡作業に手間が掛かり、分散型電源設備が連系復旧可能な状態となってから実際に連系復旧処理が完了するまでの時間が掛かる可能性があるといった課題がある。
【０００５】
本発明は、上記に鑑みてなされたものであって、配電系統事故の発生により連系復旧処理が必要となった分散型電源設備の抽出、及び連系可能となったことの連絡作業を容易とする分散型電源連系支援システム、及び分散型電源連系支援方法を提供する。
【課題を解決するための手段】
【０００６】
上述した課題を解決し、目的を達成するために、本発明の分散型電源連系支援システムは、分散型電源設備が連系される配電系統の状態を管理し、前記配電系統に関する配電系統情報を出力する配電自動化システムと、前記分散型電源設備毎に、前記配電系統への連系可能要件及び連絡用端末の連絡先情報を予め記憶するデータベースと、前記配電系統情報と前記分散型電源設備毎の前記連系可能要件とを照合し、前記連系可能要件を満たしていない分散型電源設備を抽出してリストアップし、当該リストアップした分散型電源設備の前記連絡用端末に対し、前記配電系統が前記連系可能要件を満たしていないことを示す連系可能要件未達情報を送信すると共に、前記配電系統情報が更新された場合に、当該更新された配電系統情報と前記リストアップした分散型電源設備の前記連系可能要件とを照合し、前記配電系統が前記連系可能要件を満たした分散型電源設備を抽出して前記配電系統が当該分散型電源設備の前記連系可能要件を満たしていることを表示する分散型電源連系支援装置と、を含み、前記分散型電源連系支援装置は、前記リストアップした分散型電源設備のうち、前記配電系統が前記連系可能要件を満たした分散型電源設備の前記連絡用端末に対し、前記配電系統が前記連系可能要件を満たしていることを示す連系可能要件達成情報を送信した時点で、当該分散型電源設備をリストから除外する。
【０００７】
本発明の望ましい態様として、前記連系可能要件及び前記配電系統情報は、前記配電系統における開閉器の開閉状態を示す開閉器状態情報を含み、前記分散型電源連系支援装置は、前記開閉器状態情報に基づき、前記配電系統が前記分散型電源設備毎の前記連系可能要件を満たすか否かを判定する。
【０００８】
本発明の望ましい態様として、前記分散型電源連系支援装置は、前記リストアップした分散型電源設備のうち、前記配電系統が前記連系可能要件を満たした分散型電源設備の前記連絡用端末に前記連系可能要件達成情報を送信可能とする。
【０００９】
上述した課題を解決し、目的を達成するために、本発明の分散型電源連系支援方法は、分散型電源設備が連系される配電系統の状態を管理し、前記配電系統に関する配電系統情報を出力するステップと、前記分散型電源設備毎に、前記配電系統への連系可能要件及び連絡用端末の連絡先情報を予め記憶するステップと、前記配電系統情報と前記分散型電源設備毎の前記連系可能要件とを照合するステップと、前記連系可能要件を満たしていない分散型電源設備を抽出してリストアップするステップと、前記リストアップした分散型電源設備の前記連絡用端末に対し、前記配電系統が前記連系可能要件を満たしていないことを示す連系可能要件未達情報を送信するステップと、前記配電系統情報が更新された場合に、当該更新された配電系統情報と前記リストアップした分散型電源設備の前記連系可能要件とを照合するステップと、前記配電系統が前記連系可能要件を満たした分散型電源設備を抽出して前記配電系統が当該分散型電源設備の前記連系可能要件を満たしていることを表示するステップと、前記リストアップした分散型電源設備のうち、前記配電系統が前記連系可能要件を満たした分散型電源設備の前記連絡用端末に対し、前記配電系統が前記連系可能要件を満たしていることを示す連系可能要件達成情報を送信した時点で、当該分散型電源設備をリストから除外するステップと、を有する。
【００１０】
本発明の望ましい態様として、前記連系可能要件及び前記配電系統情報は、前記配電系統における開閉器の開閉状態を示す開閉器状態情報を含み、前記開閉器状態情報に基づき、前記配電系統が前記分散型電源設備の前記連系可能要件を満たすか否かを判定する。
【００１１】
本発明の望ましい態様として、前記リストアップした分散型電源設備のうち、前記配電系統が前記連系可能要件を満たした分散型電源設備の前記連絡用端末に前記連系可能要件達成情報を送信可能とする。
【発明の効果】
【００１２】
本発明によれば、配電系統事故の発生により連系復旧処理が必要となった分散型電源設備の抽出、及び連系可能となったことの連絡作業を容易とする分散型電源連系支援システム、及び分散型電源連系支援方法を提供することができる。
【図面の簡単な説明】
【００１３】
【図１】図１は、本実施形態に係る分散型電源連系支援システムが適用される配電系統の一例を示す図である。
【図２】図２は、本実施形態に係る分散型電源連系支援システムの適用例を示す図である。
【図３】図３は、分散型電源連系支援装置のハードウェア構成を示す図である。
【図４】図４は、本実施形態に係る分散型電源連系支援システムの機能的な構成を示す機能ブロック図である。
【図５】図５は、データベースサーバに格納される連系可能要件及び連絡先情報の一例を示す図である。
【図６】図６は、配電自動化システムから出力される配電系統情報の一例を示す図である。
【図７】図７は、本実施形態に係る分散型電源連系支援システムにおける分散型電源連系支援処理フローの一例を示すフローチャートである。
【図８】図８は、連絡対象リストの一例を示す図である。
【図９】図９は、第１連絡対象リスト表示画面の一例を示す図である。
【図１０】図１０は、第２連絡対象リスト表示画面の一例を示す図である。
【図１１】図１１は、本実施形態に係る分散型電源連系支援システムの他の適用例を示す図である。
【発明を実施するための形態】
【００１４】
以下、本発明につき図面を参照しつつ詳細に説明する。なお、下記の発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１５】
図１は、本実施形態に係る分散型電源連系支援システムが適用される配電系統の一例を示す図である。図１に示す配電系統は、変電所Ｔ１乃至Ｔ７、開閉器Ｓ１乃至Ｓ１８、及び分散型電源設備Ｄ１乃至Ｄ７を含む。なお、図１に示す例において、配電線路は実線で示し、有線または無線による通信路は破線で示している。
【００１６】
変電所Ｔ１乃至Ｔ７は、配電線に電力を供給している。また、配電線には、開閉器Ｓ１乃至Ｓ１８が設けられ、これらの各開閉器Ｓ１乃至Ｓ１８によって配電線が複数の区間に区分されている。そして、分散型電源設備Ｄ１乃至Ｄ７は、これらの区間の何れかにおいて配電線に連系されている。
【００１７】
図１に示す配電系統の構成において、配電自動化システム１は、例えば運転制御センターに設置されており、各開閉器Ｓ１乃至Ｓ１８の開閉状態、各区間毎の充停電状態等の配電系統に関わる各設備を常時監視する。また、配電自動化システム１は、例えば、配電系統に事故等が発生した場合に、各開閉器Ｓ１乃至Ｓ１８を制御して配電経路を自動設定すると共に、各開閉器Ｓ１乃至Ｓ１８の開閉状態、各区間の充停電状態等を含む情報を出力する機能を有している。なお、本実施形態に係る分散型電源連系支援システムが適用される配電系統としては、大規模太陽光発電（メガソーラー）システムや大規模風力発電システム等の大規模な分散型電源設備が連系される高圧配電系統を想定している。
【００１８】
図２は、本実施形態に係る分散型電源連系支援システムの適用例を示す図である。図２に示す適用例において、分散型電源連系支援システム１００は、配電自動化システム１、データベースサーバ２、及び分散型電源連系支援装置３を備えている。配電自動化システム１、データベースサーバ２、及び分散型電源連系支援装置３は、例えば電力会社内に構築されたＬＡＮ（Ｌｏｃａｌ  Ａｒｅａ  Ｎｅｔｗｏｒｋ）等の専用ネットワーク網２００を介して接続されており、分散型電源連系支援装置３と分散型電源設備４−１乃至４−ｎに設置された各連絡用端末５−１乃至５−ｎとの間が例えばインターネット等の公共ネットワーク網３００を介して接続されている。なお、専用ネットワーク網２００及び公共ネットワーク網３００は上記に限るものではない。
【００１９】
図３は、分散型電源連系支援装置のハードウェア構成を示す図である。分散型電源連系支援装置３は、例えば、営業所に設置されたコンピュータ等の情報処理端末であり、処理部３１、記憶部３２、通信部３３、入力部３４、及び表示部３５を備え、各部がバス３６を介してデータを送受信可能なように構成される。処理部３１は、所定のメモリを介して各部間のデータの受け渡しを行うと共に、分散型電源連系支援装置３全体の制御を行う構成部であり、ＣＰＵ（Ｃｅｎｔｒａｌ  Ｐｒｏｃｅｓｓｉｎｇ  Ｕｎｉｔ）が所定のメモリに格納されたプログラムを実行することによって実現される。記憶部３２は、処理部３１からデータを記憶したり、記憶したデータを読み出したりする構成部であり、例えば、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の不揮発性記憶装置によって実現される。通信部３３は、配電自動化システム１、分散型電源設備Ｄ１乃至Ｄｎの各連絡用端末５−１乃至５−ｎ、及び後述するデータベース等と通信を行う構成部であり、例えば、ＮＩＣ（Ｎｅｔｗｏｒｋ  Ｉｎｔｅｒｆａｃｅ  Ｃａｒｄ）等によって実現される。入力部３４は、オペレータがデータや指示を入力する構成部であり、例えば、キーボードやマウス、タッチパネル等によって実現される。表示部３５は、処理部３１からの指示によりデータを表示する構成部であり、例えば、液晶ディスプレイ（ＬＣＤ：Ｌｉｑｕｉｄ  Ｃｒｙｓｔａｌ  Ｄｉｓｐｌａｙ）等によって実現される。
【００２０】
図４は、本実施形態に係る分散型電源連系支援システムの機能的な構成を示す機能ブロック図である。データベースサーバ２は、上述した分散型電源連系支援装置３と同様のハードウェア構成を有し、例えば、分散型電源連系支援装置３と共に営業所に設置されている。このデータベースサーバ２には、分散型電源設備４−１乃至４−ｎ毎の連系可能要件及び各連絡用端末５−１乃至５−ｎの連絡先情報が関連付けられ格納される。ここで、連系可能要件とは、分散型電源設備４−１乃至４−ｎ毎に、一般電気事業者である電力会社と各分散型電源設備４−１乃至４−ｎの所有者である各特定規模電気事業者との間で、配電系統（ここでは、高圧配電系統）に連系する際の経路条件を定めたものである。
【００２１】
図５は、データベースサーバに格納される連系可能要件及び連絡先情報の一例を示す図である。連系可能要件としては、図５に示すように、例えば、配電経路上における各開閉器の開閉状態や、各区間毎の充停電状態等を含んでいる。また、分散型電源設備４−１乃至４−ｎ毎の各連絡用端末５−１乃至５−ｎの連絡先情報としては、図５に示すように、例えば各分散型電源設備４−１乃至４−ｎの管理者メールアドレスを含んでいる。
【００２２】
図６は、配電自動化システムから出力される配電系統情報の一例を示す図である。上述したように、配電自動化システム１から出力される配電系統情報は、例えば、配電経路上における各開閉器の開閉状態、各区間の充停電状態等を含んでいる。
【００２３】
図７は、本実施形態に係る分散型電源連系支援システムにおける分散型電源連系支援処理フローの一例を示すフローチャートである。まず、図７に示す分散型電源連系支援処理フローの前提条件として、データベースサーバ２には、分散型電源設備４−１乃至４−ｎ毎の連系可能要件及び各連絡用端末５−１乃至５−ｎの連絡先情報が関連付けられ予め格納されているものとする。また、分散型電源連系支援装置３の記憶部３２には、配電系統が全ての分散型電源設備４−１乃至４−ｎの連系可能要件を満たし、全ての分散型電源設備４−１乃至４−ｎが配電系統に連系されている状態における配電系統情報が記憶されているものとする。
【００２４】
処理部３１は、通信部３３を介して配電自動化システム１からの配電系統情報を受信すると（ステップＳ１０１）、記憶部３２に記憶された配電系統情報と受信した配電系統情報とを照合し、配電系統情報が更新されたか否かを判定する（ステップＳ１０２）。配電系統情報が更新されていなければ（ステップＳ１０２；Ｎｏ）、ステップＳ１０１に戻り、ステップＳ１０１乃至ステップＳ１０２の処理を繰り返す。
【００２５】
配電系統情報が更新されていれば（ステップＳ１０２；Ｙｅｓ）、処理部３１は、記憶部３２に記憶された配電系統情報を受信した配電系統情報に更新して記憶部３２に記憶する（ステップＳ１０３）。
【００２６】
処理部３１は、更新された配電系統情報と分散型電源設備毎の連系可能要件とを照合し（ステップＳ１０４）、連系可能要件を満たさない分散型電源設備の有無を判定する（ステップＳ１０５）。連系可能要件を満たさない分散型電源設備がなければ（ステップＳ１０５；Ｎｏ）、ステップＳ１０１の処理に戻り、ステップＳ１０１乃至ステップＳ１０５の処理を繰り返す。
【００２７】
連系可能要件を満たさない分散型電源設備があれば（ステップＳ１０５；Ｙｅｓ）、処理部３１は、連系可能要件を満たさない分散型電源設備を抽出して連絡対象リストを生成する（ステップＳ１０６）。
【００２８】
図８は、連絡対象リストの一例を示す図である。連絡対象リストには、連系可能要件を満たさない分散型電源設備毎に、連系可能要件に含まれる開閉器開閉状態及び区間充停電状態等と配電系統情報に含まれる開閉器開閉状態及び区間充停電状態等との一致あるいは不一致を含む情報、及び連系可能要件の達成状況（ＯＫ／ＮＧ）等が含まれる。図８（ａ）に示す例では、分散型電源設備４−２，４−４，４−５，・・・について、配電系統が連系可能要件を満たしていない例を示している。
【００２９】
処理部３１は、生成した連絡対象リストを加工し、表示部３５に表示する（ステップＳ１０７）。
【００３０】
図９は、第１連絡対象リスト表示画面の一例を示す図である。図１０は、第２連絡対象リスト表示画面の一例を示す図である。
【００３１】
図９に示す第１連絡対象リスト表示画面４１ａ，４１ｂ，４１ｃには、分散型電源設備４−２，４−４，４−５，・・・毎の連系可能要件の達成状況（ＯＫ／ＮＧ）が表示されると共に、分散型電源設備４−２，４−４，４−５，・・・をそれぞれ選択可能な選択な分散型電源設備表示４２−２，４２−４，４２−５，・・・が表示されている。分散型電源設備表示４２−２，４２−４，４２−５，・・・は、オペレータが入力部３４を操作して分散型電源設備表示４２−２，４２−４，４２−５，・・・の何れかを選択することで、図１０に示す第２連絡対象リスト表示画面５１ａ，５１ｂを表示する第２連絡対象リスト表示ボタンとして機能する。
【００３２】
図１０に示す第２連絡対象リスト表示画面５１ａ，５１ｂには、分散型電源設備４−２，４−４，４−５，・・・毎の配電系統図表示５２ａ，５２ｂ、分散型電源設備４−２，４−４，４−５，・・・毎の連系可能要件の達成状況（ＯＫ／ＮＧ）を示す連系可能要件達成状況表示５３ａ，５３ｂ、及び、後述する連系可能要件達成情報の送信可否状態を示す送信不能状態表示５４ａあるいは送信可能状態表示５４ｂが表示されている。配電系統図表示５２ａ，５２ｂは、オペレータが入力部３４を操作して配電系統図表示５２ａ，５２ｂを選択することで、図９に示す第１連絡対象リスト表示画面４１ａ，４１ｂ，４１ｃを表示する第１連絡対象リスト表示ボタンとして機能する。また、送信可能状態表示５４ｂは、オペレータが入力部３４を操作して送信可能状態表示５４ｂを選択することで、連系可能要件達成情報の送信を可能とする連系可能要件達成情報送信ボタンとして機能する。
【００３３】
図９（ａ）に示す第１連絡対象リスト表示画面４１ａでは、図８（ａ）に示す連系可能要件を満たさない分散型電源設備４−２，４−４，４−５，・・・について、配電系統が連系可能要件を満たしていないことを示す表示例を示している。この第１連絡対象リスト表示画面４１ａにおいて、オペレータが何れかの分散型電源設備を選択、すなわち、第２連絡対象リスト表示ボタン４２−２，４２−４，４２−５，・・・の何れかを選択すると、処理部３１は、図１０（ａ）に示す第２連絡対象リスト表示画面５１ａを表示部３５に表示する。図１０（ａ）に示す第２連絡対象リスト表示画面５１ａでは、第１連絡対象リスト表示画面４１ａで選択された分散型電源設備の連系可能要件に含まれる各開閉器毎の開閉状態や各区間毎の充停電状態等が配電系統図表示５２ａ上に表示されると共に、連系可能要件の達成状況が「ＮＧ」であることを示す連系可能要件達成状況表示５３ａ、及び、後述する連系可能要件達成情報を送信できない状態であることを示す送信不能状態表示５４ａが表示される。図１０（ａ）に示す例では、オペレータが送信不能状態表示５４ａを選択できないようにグレーアウトして表示された例を示している。なお、図１０に示す第２連絡対象リスト表示画面５１ａ，５１ｂから図９に示す第１連絡対象リスト表示画面４１ａ，４１ｂ，４１ｃへの遷移は、上述したように、オペレータが配電系統図表示５２ａ，５２ｂを選択、すなわち、第１連絡対象リスト表示ボタン５２ａ，５２ｂを選択することで行う他、例えば、第２連絡対象リスト表示画面５１ａ，５１ｂを表示してから所定時間経過後に第１連絡対象リスト表示画面４１ａ，４１ｂ，４１ｃに戻るようにしてもよい。また、後述するように、図１０（ｂ）に示す第２連絡対象リスト表示画面５１ｂにおいて、オペレータが連系可能要件達成情報送信ボタン５４ｂを選択して連系可能要件達成情報を送信した場合においても、処理部３１は、表示部３５における表示画面を、図１０（ｂ）に示す第２連絡対象リスト表示画面５１ｂから、図９（ｃ）に示す第１連絡対象リスト表示画面４１ｃに切り替えるものとする。
【００３４】
そして、処理部３１は、連絡対象リストにリストアップした分散型電源設備の連絡先情報（図５）を参照し、配電系統が連系可能要件を満たしていないことを示す連系可能要件未達情報を、通信部３３を介して連絡対象リストにリストアップした分散型電源設備の連絡用端末に送信する（ステップＳ１０８）。
【００３５】
例えば、配電系統に事故が発生して分散型電源設備の連系可能要件を満たさなくなった場合、その分散型電源設備側で配電系統から解列する。このような場合には、処理部３１は、例えば、配電系統に事故が発生したために連系可能要件を満たさなくなった旨の文面のメールを分散型電源設備の管理者メールアドレスに送信する。これにより、分散型電源設備の管理者は、分散型電源設備が解列した原因が配電系統事故であることを認識することができ、以後事故復旧して連系可能要件を満たすまで連系復旧処理を待機しておく必要があることを認識することができる。なお、メールの文面については、例えばオペレータが予め入力部３４を操作して定型文データを作成し、記憶部３２に格納しておく。このようにすれば、処理部３１は、記憶部３２に格納された定型文データを読み出して送信することができ、メールを送信する際のオペレータの操作は不要となる。
【００３６】
続いて、処理部３１は、通信部３３を介して配電自動化システム１からの配電系統情報を受信すると（ステップＳ１０９）、記憶部３２に記憶された配電系統情報と受信した配電系統情報とを照合し、配電系統情報が更新されたか否かを判定する（ステップＳ１１０）。配電系統情報が更新されていなければ（ステップＳ１１０；Ｎｏ）、ステップＳ１０９に戻り、ステップＳ１０９乃至ステップＳ１１０の処理を繰り返す。
【００３７】
配電系統情報が更新されていれば（ステップＳ１１０；Ｙｅｓ）、処理部３１は、記憶部３２に記憶された配電系統情報を受信した配電系統情報に更新して記憶部３２に記憶する（ステップＳ１１１）。
【００３８】
処理部３１は、更新された配電系統情報と連絡対象リストにリストアップされた分散型電源設備毎の連系可能要件とを照合し（ステップＳ１１２）、連系可能要件を満たす分散型電源設備の有無を判定する（ステップＳ１１３）。連系可能要件を満たす分散型電源設備がなければ（ステップＳ１１３；Ｎｏ）、ステップＳ１０９の処理に戻り、ステップＳ１０９乃至ステップＳ１１３の処理を繰り返す。
【００３９】
連系可能要件を満たす分散型電源設備があれば（ステップＳ１１３；Ｙｅｓ）、処理部３１は、連絡対象リストを更新すると共に（ステップＳ１１４）、表示部３５上に表示されている連絡対象リストの表示内容を更新する（ステップＳ１１５）。
【００４０】
図８（ｂ）及び図９（ｂ）に示す例では、配電系統が分散型電源設備４−４の連系可能要件を満たしていることを示す表示例を示している。まず、処理部３１は、図９（ａ）に示す第１連絡対象リスト表示画面４１ａを図９（ｂ）に示す第１連絡対象リスト表示画面４１ｂに更新する（ステップＳ１１５−１）。このとき、例えば、オペレータが図９（ｂ）に示す第１連絡対象リスト表示画面４１ｂ上で分散型電源設備４−４を選択、すなわち、第２連絡対象リスト表示ボタン４２−４を選択すると、処理部３１は、図１０（ｂ）に示す第２連絡対象リスト表示画面５１ｂを表示部３５に表示する（ステップＳ１１５−２）。図１０（ｂ）に示す第２連絡対象リスト表示画面５１ｂでは、連系可能要件の達成状況が「ＯＫ」であることを示す連系可能要件達成状況表示５３ｂ、及び、連系可能要件達成情報を送信可能である状態であることを示す送信可能状態表示５４ｂが表示される。図１０（ｂ）に示す例では、オペレータが送信可能状態表示５４ｂを選択可能、すなわち、連系可能要件達成情報の送信を可能とする連系可能要件達成情報送信ボタン５４ｂとして表示された例を示している。
【００４１】
ここで、オペレータが連系可能要件達成情報送信ボタン５４ｂを選択すると、処理部３１は、連絡対象リストにリストアップした分散型電源設備の連絡先情報（図５）を参照し、配電系統が連系可能要件を満たしていることを示す連系可能要件達成情報を、通信部３３を介して分散型電源設備４−４の連絡用端末５−４に送信する（ステップＳ１１６）。
【００４２】
例えば、配電系統に事故が発生して分散型電源設備の連系可能要件を満たさなくなり、分散型電源設備側で配電系統から解列すると、上述したように、事故復旧した後に分散型電源設備側で配電系統への連系復旧処理を行う必要がある。このような場合には、処理部３１は、例えば、配電系統が連系可能要件を満たした旨の文面のメールを分散型電源設備の管理者メールアドレスに送信する。これにより、分散型電源設備の管理者は、配電系統事故が復旧して連系可能となったことを認識することができ、連系復旧処理を実施可能となったことを認識することができる。なお、メールの文面については、例えばオペレータが予め入力部３４を操作して定型文データを作成し、記憶部３２に格納しておく。このようにすれば、処理部３１は、分散型電源設備が連系可能であることを確認した上で、記憶部３２に格納された定型文データを読み出して送信することができ、オペレータは、図１０（ｂ）に示す第２連絡対象リスト表示画面５１ｂにおいて、連系可能要件達成情報送信ボタンを選択するだけでメールを送信することができる。
【００４３】
続いて、処理部３１は、連系可能要件達成情報を送信した分散型電源設備を、連絡対象リストから除外する（ステップＳ１１７）。このとき、処理部３１は、表示部３５における表示画面を、図１０（ｂ）に示す第２連絡対象リスト表示画面５１ｂから、図９（ｃ）に示す第１連絡対象リスト表示画面４１ｃに切り替える。図８（ｃ）及び図９（ｃ）に示す例では、分散型電源設備４−４を連絡対象リストから除外した例を示している。
【００４４】
そして、処理部３１は、連絡対象リストの有無を判定し（ステップＳ１１８）、連絡対象リストがあれば（ステップＳ１１８；Ｙｅｓ）、ステップＳ１０９の処理に戻り、ステップＳ１０９乃至ステップＳ１１８の処理を繰り返す。連絡対象リストがなければ（ステップＳ１１８；Ｎｏ）、本分散型電源連系支援処理フローを終了する。
【００４５】
上述した分散型電源連系支援処理フローを実行することで、配電系統に事故が発生した際に分散型電源設備が解列し、連系復旧処理が必要な分散型電源設備の抽出、及び連系可能となったことの連絡作業が容易となる。
【００４６】
なお、上述した例では、データベースサーバ２は、分散型電源連系支援装置３と共に営業所に設置されている例について説明したが、データベースサーバ２の設置場所はこれに限るものではなく、例えば、配電自動化システム１と共に運転制御センターに設置されていてもよいし、配電自動化システム１に組み込まれていてもよい。また、データベースサーバ２としての機能を、分散型電源連系支援装置３が有する構成であってもよい。
【００４７】
また、表示部３５に表示する連絡対象リストの表示画面の表示態様は、図９及び図１０に示す第１連絡対象リスト表示画面及び第２連絡対象リスト表示画面に限るものではなく、配電系統が連系可能要件を満たさなくなった分散型電源設備、及びその後配電系統が連系可能要件を満たし連系可能となったことを確認可能であり、連系可能となった分散型電源の連絡用端末に対し、連系可能要件達成情報を送信するか否かを選択可能な表示態様であればよい。
【００４８】
図１１は、本実施形態に係る分散型電源連系支援システムの他の適用例を示す図である。
【００４９】
図１１に示す適用例において、分散型電源連系支援システム１００ａは、複数の営業所Ａ，Ｂ，・・・，Ｍにそれぞれ分散型電源連系支援装置３−１，３−２，…，３−Ｍが設置されており、各営業所Ａ，Ｂ，・・・，Ｍ毎に複数の分散型電源設備４−１，４−２，…，４−ｎ，４−（ｎ＋１），…，４−ｍ，…の管轄区分が定められた例を示している。
【００５０】
図１１に示すような適用例であっても、図４に示す機能ブロック図を適用可能な構成とし、図７に示す分散型電源連系支援処理フローを実行することで、図２に示す適用例と同様に、配電系統に事故が発生した際に分散型電源設備が解列し、連系復旧処理が必要な分散型電源設備の抽出、及び連系可能となったことの連絡作業が容易となる。
【００５１】
以上説明したように、本実施形態に係る分散型電源連系支援システム１００，１００ａは、配電系統の状態を管理し、配電系統に関する配電系統情報を出力する配電自動化システム１と、分散型電源設備毎に、配電系統への連系可能要件及び連絡用端末の連絡先情報を予め記憶するデータベースサーバ２と、配電自動化システム１からの配電系統情報とデータベースサーバ２に記憶された分散型電源設備毎の連系可能要件とを照合し、連系可能要件を満たしていない分散型電源設備を抽出してリストアップし、それらの分散型電源設備の連絡用端末に対し、配電系統が連系可能要件を満たしていないことを示す連系可能要件未達情報を送信すると共に、配電系統情報が更新された場合に、更新された配電系統情報とリストアップした分散型電源設備の連系可能要件とを照合し、配電系統が連系可能要件を満たした分散型電源設備を抽出して配電系統がその分散型電源設備の連系可能要件を満たしていることを表示する分散型電源連系支援装置３，３−１，３−２，…，３−Ｍと、を含む。分散型電源連系支援装置３，３−１，３−２，…，３−Ｍは、リストアップした分散型電源設備のうち、配電系統が連系可能要件を満たした分散型電源設備の連絡用端末に対し、配電系統が前記連系可能要件を満たしていることを示す連系可能要件達成情報を送信した時点で、その分散型電源設備をリストから除外する。
【００５２】
上記構成により、配電系統事故の発生によって連系復旧処理が必要となった分散型電源設備の抽出、及び連系可能となったことの連絡作業が容易となる。
【００５３】
また、本実施形態に係る分散型電源連系支援方法は、配電系統の状態を管理し、配電系統に関する配電系統情報を出力するステップと、分散型電源設備毎に、配電系統への連系可能要件及び連絡用端末の連絡先情報を予め記憶するステップと、配電系統情報と分散型電源設備毎の前記連系可能要件とを照合するステップと、連系可能要件を満たしていない分散型電源設備を抽出してリストアップするステップと、それらの分散型電源設備の連絡用端末に対し、配電系統が連系可能要件を満たしていないことを示す連系可能要件未達情報を送信するステップと、配電系統情報が更新された場合に、更新された配電系統情報とリストアップした分散型電源設備の連系可能要件とを照合するステップと、配電系統が連系可能要件を満たした分散型電源設備を抽出して配電系統がその分散型電源設備の連系可能要件を満たしていることを表示するステップと、リストアップした分散型電源設備のうち、配電系統が連系可能要件を満たした分散型電源設備の連絡用端末に対し、配電系統が連系可能要件を満たしていることを示す連系可能要件達成情報を送信した時点で、その分散型電源設備をリストから除外するステップと、を有する。これにより、配電系統事故の発生によって連系復旧処理が必要となった分散型電源設備の抽出、及び連系可能となったことの連絡作業が容易となる。
【符号の説明】
【００５４】
１  配電自動化システム
２  データベースサーバ
３，３−１，３−２，…，３−Ｍ  分散型電源連系支援装置
４−１，４−２，…，４−ｎ，４−（ｎ＋１），…，４−ｍ，…  分散型電源設備
５−１，５−２，…，５−ｎ，５−（ｎ＋１），…，５−ｍ，…  連絡用端末
３１  処理部
３２  記憶部
３３  通信部
３４  入力部
３５  表示部
４１ａ，４１ｂ，４１ｃ  第１連絡対象リスト表示画面
４２−２，４２−４，４２−５，・・・  分散型電源設備表示（第２連絡対象リスト表示ボタン）
５１ａ，５１ｂ  第２連絡対象リスト表示画面
５２ａ，５２ｂ  配電系統図表示（第１連絡対象リスト表示ボタン）
５３ａ，５３ｂ  連系可能要件達成状況表示
５４ａ  送信不能状態表示
５４ｂ  送信可能状態表示（連系可能要件達成情報送信ボタン）
１００，１００ａ  分散型電源連系支援システム
２００  専用ネットワーク網
３００  公共ネットワーク網
Ｓ１〜Ｓ１８  開閉器
Ｄ１〜Ｄ７  分散型電源設備
Ｔ１〜Ｔ７  変電所
【図１】
2018074649.tif 000003
【図２】
2018074649.tif 000004
【図３】
2018074649.tif 000005
【図４】
2018074649.tif 000006
【図５】
2018074649.tif 000007
【図６】
2018074649.tif 000008
【図７】
2018074649.tif 000009
【図８】
2018074649.tif 000010
【図９】
2018074649.tif 000011
【図１０】
2018074649.tif 000012
【図１１】
2018074649.tif 000013